(57)【特許請求の範囲】
【請求項１】
宅配物や荷物等の収納に使用されるロッカの施解錠装置において、
電気信号を受けて前記ロッカのドアを施解錠する電気錠と、
上下動自在に設けられる上下動部材と、
前記ロッカ内に露出するスイッチ片を有するとともに、通常は前記上下動部材を所定の高さで支持し、前記スイッチ片が押されると前記上下動部材の支持を解くスイッチ部材と、
前記スイッチ部材の支持から解かれた前記上下動部材の重量を受けて、前記電気錠を解錠する解錠機構部と、
を有することを特徴とするロッカの施解錠装置。
【請求項２】
前記スイッチ片には、バッテリに接続された発光素子が取り付けられていることを特徴とする請求項１記載のロッカの施解錠装置。
【請求項３】
前記電気錠の解錠後、前記上下動部材を前記スイッチ部材に支持される状態に自動的に戻す上下動部材復帰機構部を、有することを特徴とする請求項１記載のロッカの施解錠装置。
【発明の詳細な説明】
【０００１】
【発明の属する技術分野】
本発明は宅配物や荷物等の収納に使用されるロッカの施解錠装置に関し、特に電気錠を有するロッカの施解錠装置に関する。
【０００２】
【従来の技術】
従来、宅配物や荷物等の収納に使用されるロッカには、ドアを施解錠するための電気錠が設けられている。この電気錠は、制御装置からの電気信号によって、その施解錠が制御される。通常、このような電気錠を有するロッカでは、ロッカ内に荷物が収納された状態でドアが閉められると、内部のセンサがこれを検知し、自動的に電気錠を施錠状態にする。これにより、利用者が施錠操作を行う手間が省けて、便利である。
【０００３】
ところが、このようなロッカでは、子供等がふざけて入ってドアを閉めると、出られなくなってしまうという問題が生じる。このため、従来のロッカでは、ロッカ内の側板にスイッチが取り付けてあり、このスイッチを押すことにより電気錠に電気信号が送られ、解錠されるようになっている。
【０００４】
【発明が解決しようとする課題】
しかし、このように電気信号によって解錠する方式では、停電時には電気錠が動作しなくなるという問題点があった。
【０００５】
本発明はこのような点に鑑みてなされたものであり、停電時にもロッカ内から容易にドアを解錠することのできるロッカの施解錠装置を提供することを目的とする。
【０００６】
【課題を解決するための手段】
本発明では上記課題を解決するために、宅配物や荷物等の収納に使用されるロッカの施解錠装置において、電気信号を受けて前記ロッカのドアを施解錠する電気錠と、上下動自在に設けられる上下動部材と、前記ロッカ内に露出するスイッチ片を有するとともに、通常は前記上下動部材を所定の高さで支持し、前記スイッチ片が押されると前記上下動部材の支持を解くスイッチ部材と、前記スイッチ部材の支持から解かれた前記上下動部材の重量を受けて、前記電気錠を解錠する解錠機構部と、を有することを特徴とするロッカの施解錠装置が提供される。
【０００７】
このようなロッカの施解錠装置では、通常はスイッチ部材により、上下動部材が所定の高さで支持されており、ロッカ内でスイッチ片が押されると、上下動部材の支持が解かれる。そして、上下動部材の重量を受けた解錠機構部が、電気錠を解錠する。
【０００８】
これにより、停電時でもロッカ内から容易にドアを解錠することができる。
【０００９】
【発明の実施の形態】
以下、本発明の一形態を図面を参照して説明する。
図２は本形態の施解錠装置を備えるロッカユニットの構成を示す正面図である。ロッカユニット１０は、例えば小型のロッカ２０および大型のロッカ３０が一体に形成されることにより構成されている。各ロッカ２０，３０のドア２１，３１は、電気錠により施解錠される。また、各ロッカ２０，３０内には、荷物センサが設けられており、各ロッカ２０，３０内に荷物が収納された状態を検知する。荷物が収納されているときには、各ドア２１，３１は自動的に施錠される。電気錠の制御は、ロッカユニット１０に内蔵された図示されていない制御装置によって行われる。
【００１０】
図３はロッカユニット１０の施解錠部分の外観構成を示す斜視図である。ここでは、ドア２１，３１の図示を省略してある。ロッカユニット１０内は、仕切り板１２によって、上側のロッカ２０の収納部２２と、下側のロッカ３０の収納部３２とに仕切られている。ロッカユニット１０の正面左側の側壁１１の枠部１１ａには、各ロッカ２０，３０のドア２１，３１を施解錠するための電気錠４０，５０が内蔵されている。
【００１１】
電気錠４０のラッチ４１は、収納部２２側に突き出ている。同様に、電気錠５０のラッチ５１は、収納部３２側に突き出ている。これらラッチ４１，５１は、それぞれドア２１，３１の一部と係止する。また、電気錠４０の下方にはプランジャー２３が設けられており、バネ圧によりドア２１を前方に付勢する。同様に、電気錠５０の下方にはプランジャー３３が設けられており、バネ圧によりドア３１を前方に付勢する。
【００１２】
側壁１１の内側板１１ｂの収納部３２側の一部には、開口部１１ｃが形成されており、この開口部１１ｃには、手動のスイッチ片１３が露出している。このスイッチ片１３は、後述するように、人が収納部３２内に閉じ込められたとき、ドア３１を解錠するためのスイッチである。スイッチ片１３には、バッテリで発行するＬＥＤ１３ａが取り付けられており、暗く、かつ停電した状態でもスイッチ片１３の場所が確認できる。
【００１３】
図１は側壁１１内の手動解錠機構に係わる構成を示す図である。ここでは、内側板１１ｂを取り外した状態の側面図を示す。スイッチ片１３は、支持具１４に水平面内を回動可能に取り付けられたスイッチ部材１３１の一端部に形成されている。スイッチ部材１３１の他端部には、係止片１３２が形成されている。この係止片１３２には、上下方向に移動可能な上下動部材１５の一部が係止している。そして、後述するように、スイッチ片１３が押されると、互いの係止が解かれ、上下動部材１５が自重により下降するようになっている。
【００１４】
上下動部材１５には、手動解錠ユニット１７の解錠片１７１が連結されている。解錠片１７１は、上下動部材１５が自重で落下すると、その力を受けて回動し、これにより手動解錠ユニット１７内の機構部が働いて電気錠５０を解錠する。電気錠５０が解錠されると、プランジャー３３の力によってドア３１が開かれる。
【００１５】
また、側壁１１内の上部には、ソレノイド１６が設けられており、ドア３１が開かれると、自動的にその軸が上昇し、上下動部材１５の上端のフック部１５１を押し上げる。これにより、上下動部材１５全体が持ち上がって、初期状態、すなわち、スイッチ部材１３１と係止した状態に戻る。
【００１６】
次に、手動解錠機構の各部の具体的な構成について説明する。
図４はスイッチ部材１３の取り付け構造を示す図であり、（Ａ）は正面図、（Ｂ）は（Ａ）の下方から見た初期状態を示す図、（Ｃ）は（Ａ）の下方から見た動作状態を示す図である。まず、図（Ａ），（Ｂ）に示すように、スイッチ部材１３１は、側壁１１に固定された支持具１４の支持片１４１，１４２，１４３によって支持されている。支持片１４１には、切り欠き１４１ａが形成されている。スイッチ部材１３１は、ピン１３１ａが切り欠き１４１ａに軸支されることにより、スイッチ部材１３１全体が水平方向に回動可能となっている。
【００１７】
また、スイッチ部材１３１の係止片１３２は、その一部が  上下動部材１５に形成された係止孔１５ａと係止している。このとき、スイッチ部材１３１は、バネ１３３を介して支持具１４側に引きつけられているので、外部から力を受けない限り、係止片１３２と係止孔１５ａは、確実に係止している。これにより、上下動部材１５が所定の高さに保持されている。
【００１８】
このような取り付け構造のスイッチ片１３１は、収納部内に露出しているスイッチ片１３が図（Ｃ）の矢印の方向に押されると、バネ１３３の力に抗して、ピン１３１ａを軸にして回動する。これにより、係止片１３２と係止孔１５ａとの係止が解かれる。したがって、上下動部材１５は、自重によって図（Ａ）の下方に落下する。
【００１９】
図５は手動解錠ユニット１７の具体的な構成を示す側壁１１内側から見た図である。手動解錠ユニット１７は、側壁１１の内側板１１ｂに固定された基板１７０上に各部品が取り付けられることにより構成されている。基板１７０には、支持部材１７２が固定されている。この支持部材１７２には、解錠片１７１が、軸１７２ａを中心に回動可能に取り付けられている。解錠片１７１の端部１７１ａには、前述の上下動部材１５が連結されている。解錠片１７１の端部１７１ａと反対側の端部１７１ｂは、Ｌ字型に形成されており、その上端には、図面手前側に折り曲げ形成された押し上げ片１７１ｃが形成されている。また、端部１７１ｂの下端部分には、凹部１７１ｄが形成されている。この凹部１７１ｄには、プランジャー３３の端部３３１に固定されたストッパ板３３１ａが嵌合している。
【００２０】
図６は解錠片１７１とプランジャー３３との連結構造を示す図であり、（Ａ）はプランジャー３３の端部３３１部分の拡大図、（Ｂ）は図（Ａ）のＸ−Ｘ線に沿う断面図である。基板１７０には、プランジャー３３の軸芯と平行に延びる溝１７０ａが形成されており、ストッパ板３３１ａは、この溝１７０ａ内をスライドできるように、プランジャー３３に固定されている。ロッカ３０のドア３１が開いている状態、すなわち、プランジャー３３がロッカ正面側に突き出ている状態では、ストッパ板３３１ａは図（Ａ）の最も右側に位置する。このとき、ストッパ板３３１ａは、解錠片１７１の凹部１７１ｄと嵌合している。これにより、解錠片１７１は、ほぼ水平の向きに固定され、外部から力を受けても静止している。
【００２１】
一方、ロッカ３０のドア３１が閉じられて、プランジャー３３がドア３１によって押し込まれると、ストッパ板３３１ａが図（Ａ）の左方向にスライドし、解錠片１７１の凹部１７１ｄから外れる。これにより、解錠片１７１はフリーの状態になる。
【００２２】
図５に戻り、支持部材１７２の解錠片１７１よりも上方の位置には、軸押し上げ部材１７３が取り付けられている。軸押し上げ部材１７３には、支持部材１７２に形成されたボス１７２ｂ，１７２ｃに対して摺動可能な切り欠き１７３ａ，１７３ｂが形成されている。これにより、軸押し上げ部材１７３は、所定の範囲内で上下方向にスライド可能となっている。ただし、定常状態では、軸押し上げ部材１７３は、自重によって最も低い位置にあり、その下端の図面手前側に折り曲げ形成された動力受け片１７３ｃが、解錠片１７１の押し上げ片１７１ｃと接触している。
【００２３】
軸押し上げ部材１７３の上側には、軸押し上げ片１７３ｄが形成されている。この軸押し上げ片１７３ｄは、電気錠５０内に挿入されており、ソレノイド５２の軸５２ａと連結されている。この具体的な構造については後述する。
【００２４】
基板１７０の下端部には、マイクロスイッチ１７４が固定されている。このマイクロスイッチ１７４は、ドア３１が閉じられてプランジャー３３が押し込められると、プランジャー３３の端部３３１に端子１７４ａが押される。これにより、接点がオンとなり、ドア３１が閉じられたことが検知される。
【００２５】
このような構成の手動解錠ユニット１７では、ドア３１が閉じられた状態で、図１等で示したスイッチ片１３が押されて上下動部材１５が落下すると、その重みによって解錠片１７１の端部１７１ａが押し下げられ、一方の端部１７１ｂが上昇する。この上昇の力を、押し上げ片１７１ｃを介して動力受け片１７３ｃが受け、これにより、軸押し上げ部材１７３が上昇する。これと同時に、軸押し上げ片１７３ｄに連結されたソレノイド５２の軸５２ａが押し上げられる。
【００２６】
図７は電気錠５０の概略構成を示す斜視図である。電気錠５０のソレノイド５２は、図示されていない制御装置からの電気信号により駆動し、軸５２ａを上下動させる。また、軸５２ａは、外部からの適度な力でも上下動可能となっている。軸５２ａには、前述したように、手動解錠ユニット１７の軸押し上げ片１７３ｄが連結されている。また、軸５２ａの下端部には、ストッパ板５３が固定されている。このストッパ板５３には、切り欠き５３ａが形成されている。
【００２７】
このような電気錠５０は、軸５２ａが最下位置にあるときには、ストッパ板５３の切り欠き５３ａがラッチ５１よりも低い位置にある。このため、ラッチ５１は、ストッパ板５３の切り欠き５３ａよりも上の部分５３ｂに当接している。これにより、ラッチ５１の軸５１ａ周りの回動が阻止される。すなわち、ドア３１が施錠状態となる。
【００２８】
一方、制御装置からの電気信号を電気錠５０が受けるか、または軸押し上げ片１７３ｄによる押し上げ力が軸５２ａに与えられると、軸５２ａが上昇する。これと同時に、図８に示すように、ストッパ板５３の切り欠き５３ａがラッチ５１と同じ高さにくる。これにより、ラッチ５１は、抑制が解かれて軸５１ａ周りに回動可能となる。すなわち、ドア３１が解錠状態となる。
【００２９】
ラッチ５１が回動自在になると、プランジャー３３に押されてドア３１が開かれる。
なお、ラッチ４１，５１の取り付け構造や、その具体的な動作については、本願出願人が既に出願済の特願平７−２６１４１６号に開示されているものとほぼ同じなので、ここでは詳細な説明は省略する。
【００３０】
このように、本形態では、ロッカ３０の収納部３２内に露出したスイッチ片１３が押されることにより、上下動部材１５を落下させ、その重量を受けが手動解錠ユニット１７により電気錠５０を解錠するようにしたので、ロッカ３０の収納部３２に人が閉じ込められても、停電時でも容易にドア３１を開けることができる。
【００３１】
また、本形態では、スイッチ片１３にバッテリで動作するＬＥＤ１３ａを取り付けるようにしたので、暗い収納部内でも容易にスイッチ片１３を認識することができる。
【００３２】
なお、本形態では、電気錠５０の解錠後に上下動部材１５を元の状態、すなわちスイッチ部材１３１と係止する状態に戻す機構として、ソレノイド１６を設ける例を示したが、この他の手段として、例えば内側板１１ｂに指が入る程度の孔を開けておき、この孔を介して指で上下動部材１５が押し上げられるようにしてもよい。あるいはこれらを併設してもよい。
【００３３】
【発明の効果】
以上説明したように本発明では、ロッカ内でスイッチ片が押されると、上下動部材の支持が解かれ、上下動部材の重量を受けた解錠機構部により電気錠を解錠するようにしたので、停電時でも、ロッカ内から手動で解錠し、ドアを開けることができる。
【図面の簡単な説明】
【図１】側壁内の手動解錠機構に係わる構成を示す図である。
【図２】本形態の施解錠装置を備えるロッカユニットの構成を示す正面図である。
【図３】ロッカユニットの施解錠部分の外観構成を示す斜視図である。
【図４】スイッチ部材の取り付け構造を示す図であり、（Ａ）は正面図、（Ｂ）は（Ａ）の下方から見た初期状態を示す図、（Ｃ）は（Ａ）の下方から見た動作状態を示す図である。
【図５】手動解錠ユニットの具体的な構成を示す側壁内側から見た図である。
【図６】解錠片とプランジャーとの連結構造を示す図であり、（Ａ）はプランジャーの端部部分の拡大図、（Ｂ）は図（Ａ）のＸ−Ｘ線に沿う断面図である。
【図７】電気錠の概略構成を示す斜視図である。
【図８】電気錠の解錠時の構成を示す斜視図である。
【符号の説明】
１０  ロッカユニット
１１  側壁
１１ａ  枠部
１１ｂ  内側板
１３  スイッチ片
１４  支持具
１５  上下動部材
１７  手動解錠ユニット
２０，３０  ロッカ
２１，３１  ドア
２２，３２  収納部
２３，３３  プランジャー
４１，５１  ラッチ
５０  電気錠
５２  ソレノイド
５２ａ  軸
１７１  解錠片
１７３  軸押し上げ部材
１７３ｄ  軸押し上げ片
３３１ａ  ストッパ板
【図１】
0003868044.tif 000002
【図２】
0003868044.tif 000003
【図３】
0003868044.tif 000004
【図４】
0003868044.tif 000005
【図５】
0003868044.tif 000006
【図６】
0003868044.tif 000007
【図７】
0003868044.tif 000008
【図８】
0003868044.tif 000009